(57)【特許請求の範囲】
【請求項１】
所定の伝送回路を収納するための開口部を有する筐体と、該開口部を閉止する蓋体と、を備えた伝送機器の筐体構造において、
前記筐体は、前記開口部の内周に複数段の段差を有していると共に、前記複数段の段差を構成する各々の垂直面が、前記開口部の内側になるほど小さくなるように設定されていること、
及び、前記蓋体は、前記筐体よりも柔らかな金属材料からなり、且つ、前記開口部の内周全域にわたり、前記複数の段差の各々に密着するように圧入され、前記筐体に閉止されていること
を特徴とする伝送機器の筐体構造。
【発明の詳細な説明】
【０００１】
【発明の属する技術分野】
本発明は、伝送機器の筐体構造に関し、特に、筐体内部に収納された伝送回路から筐体外部への信号の漏洩や、筐体外部からの信号の混入を防止する遮蔽（シールド）効果を有する伝送機器の筐体構造に関する。
【０００２】
【従来の技術】
従来、オフィスビルや集合住宅等において、建物棟内の各居室や住戸に、テレビ放送を始めとする各種の情報を伝送、配信する構成として、共聴受信システムやＣＡＴＶシステム等のネットワークシステムが知られている。
このようなネットワークシステムにおいては、例えば、図４に示すように、放送信号等の受信アンテナを備えた共同受信設備（又は、センター局）１００と各居室２００との間が同軸ケーブルや光ケーブル等の伝送ケーブル３００により接続され、このような伝送ケーブル３００を介して、上記共同受信設備１００において受信したテレビ放送信号等の各種情報が伝送される。
【０００３】
ここで、伝送ケーブル３００により構成される伝送経路には、図４に示したように、伝送される放送信号等の信号レベルを補償するためのブースタ（増幅装置）３１０や、放送信号等を単一の高レベルの信号と複数の低レベルの信号に分割して、高レベルの信号を幹線となる伝送ケーブル３０１に供給するとともに、低レベルの信号を支線となる伝送ケーブル３０２に供給する分岐器３２０、放送信号等を各居室２００に設置された映像音響機器等（図示を省略）に伝送するために、該放送信号等を所定の信号レベルに等分してさらに複数の支線となる伝送ケーブル３０２に供給する分配器３３０、各居室２００に設けられ、上記幹線及び支線となる伝送ケーブル３０１、３０２を介して伝送された放送信号等を受信して、映像音響機器等に出力する受信端子３４０等が設けられている。
【０００４】
そして、上述したような建物棟内の伝送経路に設置される分岐器３２０及び分配器３３０（もしくは、これらの双方の機能を備えた分岐分配器）は、一般には、建物の壁面等に取り付け可能なように小型化された構成を有し、具体的には、例えば、図５（ａ）、（ｂ）に示すように、略直方体形状を有するケース３２１の側面３２１ｓもしくは上面等に、伝送ケーブル（同軸ケーブル）を介して伝送される信号を入出力するための入力端子及び出力端子（以下、「入出力端子」と総称する）３２２が複数突出して設けられ、また、該ケース３２１の内部には、上記入出力端子３２２を介して入出力される放送信号等を、所定の信号レベルで分岐又は分配処理する機能回路（分岐分配回路）が形成された回路基板３２３が収納されている。
【０００５】
このような分岐分配器においては、上記分岐分配回路から放出される信号や電磁波がケース外部に漏洩することにより生じる放送信号等の伝送損失や周辺機器等への電気的な悪影響、あるいは、ケース外部から分岐分配回路への信号や電磁波の混入によるノイズの増加や伝送信号の劣化を抑制するため、良好なシールド特性を有していることが望ましい。ここで、一般に、電子機器（この場合、分岐分配器）から発生する電磁波が他の電子機器に与える妨害を、電磁妨害（ＥＭＩ：Electromagnetic Interference；外部に対してどの程度のノイズ源となっているか）と呼び、一方、外部からのノイズに対する耐性を、ノイズ耐性（イミュニティ：Noise Immunity；電磁感受性の逆数）と呼び、これらにより電子機器におけるシールド特性の規格（電波障害規格）が各国ごとに定められている。以下、本願においては、上記ＥＭＩ及びイミュニティの程度を「シールド特性」と総称するものとする。
【０００６】
従来技術における分岐分配器に適用されている電磁波の遮蔽構造（シールド構造）としては、例えば、図６（ａ）、（ｂ）に示すように、図５に示したような分岐分配器３２０Ａのケース本体３２１ｂの底面側に形成された開口部３２１ｈを介して、ケース本体３２１ｂの内部に上記分岐分配回路の回路基板３２３が収納され、該回路基板３２３が収納された空間ＳＰを密閉するように、開口部３２１ｈの端部の段差部３２１ｅに薄板状のカバー部材３２１ｃが圧入、閉止されたものが知られている。
しかしながら、このような分岐分配器３２０Ａの遮蔽構造においては、開口部３２１ｈの全周にわたって、ケース本体３２１ｂ（段差部３２１ｅ）と圧入されたカバー部材３２１ｃが均一に密着した閉止状態を実現することが難しく、図６（ｃ）に示すように、極めて微小な間隙ＣＬを生じて、信号や電磁波の漏洩又は混入が生じるという問題を有していた。
【０００７】
そのため、上記遮蔽構造のシールド特性をさらに向上させるために、例えば、図７（ａ）、（ｂ）に示すように、開口部３２１ｈの端部に鋭角の断面形状を有する段差部３２１ｆを形成して、カバー部材３２１ｃを該段差部３２１ｆに圧入することにより、カバー部材３２１ｃの端部を段差部３２１ｆに喰い込ませるように変形させたものや、図７（ｃ）、（ｄ）に示すように、カバー部材３２１ｃを該段差部３２１ｅに圧入する際に、特殊な金型ＤＩや治具を用いてカバー部材３２１ｃの端部を居所的に変形させて段差部３２１ｅに密着させるようにしたもの、あるいは、図８（ａ）、（ｂ）に示すように、ケース本体３２１ｂとカバー部材３２１ｃとの間に金属製のメッシュ３２１ｊや導電性の樹脂材料を介在させるようにして、段差部３２１ｅにおけるケース本体３２１ｂとカバー部材３２１ｃとの密着性を向上させるようにしたものも知られている。なお、このような分岐分配器の遮蔽構造については、例えば、実公平３−４０７３号公報や実公平５−８７１４号公報等に詳しく記載されている。
【０００８】
【発明が解決しようとする課題】
しかしながら、上述したような分岐分配器の遮蔽構造においても、本願発明者が各種検討したところ、良好なシールド特性が得られないものや、もしくは、上記ケース本体へのカバー部材の閉止直後においては良好なシールド特性が得られるものの、外的環境の変化等に起因する経時変化によりシールド特性の悪化が生じるものがあることが判明した。
【０００９】
具体的には、図５（ｂ）、図６に示したような比較的長い長辺を有するケース形状を有する分岐分配器３２０Ａの場合、長方形の開口部３２１ｈに対応するカバー部材３２１ｃの長辺部分Ｌｐにおいて、段差部３２１ｅへの圧入時にたわみに起因する間隙ＣＬが生じやすく、シールド特性が劣化することが観測された。ここで、このような長辺部分Ｌｐのたわみを解消するために、カバー部材３２１ｃの長辺部分Ｌｐを予め外方に僅かに突出する曲線を有するように形成することにより、段差部３２１ｅへのカバー部材３２１ｃの圧入直後に一時的に良好なシールド特性が得られたが、温度、湿度等の外的環境の変化に起因すると考えられるケース本体３２１ｂやカバー部材３２１ｃの経時的な形状変化により、段差部３２１ｅに間隙ＣＬが発生して、シールド特性が劣化するという問題を有していることが判明した。
また、上述したような分岐分配器の遮蔽構造を実現するためには、ケース本体にカバー部材を閉止する作業時に、特殊な治具や作業手順を必要としたり、ケースを構成する部品点数が増加して製品コストが上昇するという問題も有している。
【００１０】
そこで、本発明は、このような問題点に鑑み、特殊な治具や作業手順を必要とすることなく、かつ、部品点数の少ない安価かつ簡易な遮蔽構造でありながら、経時変化が小さく良好なシールド特性を実現することができる伝送機器の筐体構造を提供するを目的とする。
【００１１】
【課題を解決するための手段】
請求項１記載の伝送機器の筐体構造は、  所定の伝送回路を収納するための開口部を有する筐体と、該開口部を閉止する蓋体と、を備えた伝送機器の筐体構造において、前記筐体は、前記開口部の内周に複数段の段差を有していると共に、前記複数段の段差を構成する各々の垂直面が、前記開口部の内側になるほど小さくなるように設定されていること、及び、前記蓋体は、前記筐体よりも柔らかな金属材料からなり、且つ、前記開口部の内周全域にわたり、前記複数の段差の各々に密着するように圧入され、前記筐体に閉止されていることを特徴としている。
【００１２】
また、請求項２記載の伝送機器の筐体構造は、請求項１記載の伝送機器の筐体構造において、前記蓋体は、前記開口部の内周全域にわたり、前記複数の段差の各々に密着するように圧入され、前記筐体に閉止されていることを特徴としている。
さらに、請求項３記載の伝送機器の筐体構造は、請求項１又は２記載の伝送機器の筐体構造において、前記伝送機器は、ケーブルネットワークシステムにおける伝送ケーブルに伝送される信号を分岐、分配する分岐分配器であることを特徴としている。
【００１３】
すなわち、本発明に係る伝送機器の筐体構造は、例えば、共聴受信システムやＣＡＴＶシステム等のネットワークシステムに適用される分岐分配器において、該分岐分配器を構成するケース本体（筐体本体）の開ロ部の内周端部全域に複数の段差からなる段差部が形成され、該段差の各々を形成する水平面及び垂直面に対して、上記開ロ部を閉止する薄板のカバー部材（蓋体）の端部が密着するように圧入されている。
【００１４】
これにより、ケース本体の開ロ部の略全周にわたって、ケース本体とカバー部材が略均一に密着して閉止され、段差部における間隙の発生が抑制されるので、分岐分配器等の伝送機器内外での電磁波の放出や混入を遮断することができ、シールド特性に優れた伝送機器を堤供することができる。特に、段差部を構成する複数かつ多様な面に対して、単一のカバー部材の端部が複合的に密着する構成を有しているので、外的環境の変化に起因する経時的な形状変化を生じにくく、良好なシールド特性を長期にわたり確保することができる伝送機器を実現することができる。
【００１５】
また、本発明に係る上記構成は、ケース本体とカバー部材のみにより構成され、かつ、ケース本体の開口部（段差部）に対してカバー部材を均一な押圧力で圧入するだけで、ケース本体にカバー部材が略均一に変形して密着するので、ケースを構成する部品点数を増加させることなく、また、特殊な治具や作業手順を必要とすることなく、良好なシールド特性を有する伝送機器を安価かつ簡易に提供することができる。
【００１６】
【発明の実施の形態】
以下、本発明に係る伝送機器の筐体構造について、実施の形態を示して具体的に説明する。
図１は、本発明に係る伝送機器の筐体構造の一実施形態を示す概略構成図である。ここでは、本発明に係る伝送機器を、共聴受信システム等のケーブルネットワークシステムの伝送ケーブルに設置される分岐分配器に適用した場合の一例について説明する。なお、本実施形態に示した分岐分配器の筐体構造は、一例を示したものに過ぎず、本発明を何ら限定するものではない。
【００１７】
図１に示すように、本実施形態に係る分岐分配器１は、概略、ケース本体（筐体本体）１０と、カバー部材（蓋体）２０と、ケース本体１０の内部に収納され、分岐分配回路（伝送回路）が形成された回路基板３０と、を有して構成されている。
【００１８】
ここで、ケース本体１０は、図１（ａ）に示すように、例えば、比較的長い長辺を有する略直方体形状を有し、アルミダイキャスト等の金属材料（材質）により形成されている。ケース本体１０の一面側（裏面側；図中、上面側）には開口部１１が設けられ、該開口部１１を介してケース本体１０の内部空間ＳＰに上記回路基板３０が収納される。また、ケース本体１０の側面１０ｓには、内部空間ＳＰに収納された回路基板３０（分岐分配回路）への信号を入出力するための入出力端子４０が複数設けられている。
【００１９】
さらに、本実施形態に係る分岐分配器に適用されるケース本体１０においては、図１（ｂ）、（ｃ）に示すように、ケース本体１０に設けられた開口部１１の端部の内周側の全域（すなわち、全周）に沿って、例えば、２段（又は、複数段）の段差からなる段差部１２が形成されている。段差部１２は、具体的には、開口部１１の外側（すなわち、ケース本体１０の側面１０ｓ側）が最も上方に突出し、開口部１１の内側（すなわち、ケース本体１０の内部空間ＳＰ側）方向に階段状に突出量が小さくなるように、垂直面Ｖ１及び水平面Ｈ１からなる段差１２ａと、垂直面Ｖ２及び水平面Ｈ２からなる段差１２ｂが形成された構成を有している。
【００２０】
一方、カバー部材２０は、ケース本体１０に適用される金属材料よりも軟らかい金属材料であって、後述するように、ケース本体１０に設けられた開口部１１への圧入作業の際に、少なくとも、カバー部材２０の周縁部近傍（端部）が変形して、上記開口部１１に設けられた段差部１２に略均一に密着する程度の硬さを有する金属材料、例えば、アルミニウム等からなる薄板により形成されている。すなわち、カバー部材２０は、図１（ｂ）、（ｃ）に示すように、ケース本体１０に設けられた開口部１１に圧入された状態で、少なくとも、段差部１２（段差１２ａ、１２ｂ）を構成する各垂直面Ｖ１、Ｖ２及び水平面Ｈ１、Ｈ２の全て、もしくは、複数の面に対して、複合的に接触して僅かな間隙も生じないように密着している。
【００２１】
なお、回路基板３０には、絶縁性のプリント基板に、上記ケース本体１０の側面１０ｓに設けられた特定の入出力端子４０を介して入力された信号を所定数に分岐、又は、分配して他の入出力端子４０を介して出力する分岐分配回路が形成されている。この回路基板３０は、ケース本体１０の内部空間ＳＰに収納固定されているとともに、上記入出力端子４０と所定の回路パターン位置で電気的に接続されている。
【００２２】
次に、本実施形態に係る分岐分配部におけるカバー部材の閉止状態について、図面を参照して説明する。
図２は、本実施形態に係る分岐分配器におけるケース本体（筐体本体）へのカバー部材（蓋体）の閉止状態を示す概略図である。
【００２３】
上述したような構成を有する分岐分配器は、以下に示すような作業及びその作用により実現される。
まず、図２（ａ）に示すように、ケース本体１０の開口部１１に形成された段差部１２のうち、例えば、最も内側に形成された段差１２ｂに対して、カバー部材２０の周縁部（端部）を係合した後、図２（ｂ）に示すように、少なくとも、周縁部近傍を含むカバー部材２０の略全域を、図示を省略した簡易な治具等を用いて略均一な押圧力（矢印Ｆ１）で押圧する。
【００２４】
このようなカバー部材２０の圧入作業により、ケース本体１０よりも軟らかい金属材料により形成されたカバー部材２０の周縁部において、図２（ｃ）に示すように、係合された段差１２ｂを構成する垂直面Ｖ２方向及び水平面Ｈ２方向に変形応力（矢印Ｆ２）が印加されて、カバー部材２０の周縁部が上記垂直面Ｖ２及び水平面Ｈ２の各々に密着するように変形する。
【００２５】
そして、さらにカバー部材２０に押圧力（矢印Ｆ１）を印加すると、図２（ｄ）に示すように、カバー部材２０の周縁部は、すでに密着している上記垂直面Ｖ２及び水平面Ｈ２からなる段差１２ｂを乗り越えて、段差１２ｂに隣接して形成されている段差１２ａ方向、及び、ケース本体１０の側面１０ｓの内部空間ＳＰ方向に変形応力（矢印Ｆ３）が生じる。これにより、カバー部材２０の周縁部が段差１２ａを構成する垂直面Ｖ１及び水平面Ｈ１の各々に密着するようにさらに変形する。
【００２６】
したがって、本実施形態に係る分岐分配器によれば、ケース本体とカバー部材からなる少ない部品構成でありながら、ケース本体の開口部に形成された段差部にカバー部材を略均一な押圧力で圧入する簡易な作業手順のみで、カバー部材を上記段差部を構成する複数の段差の各々の全ての面、もしくは、特定の複数の面に良好に密着して間隙が生じない良好な閉止状態を実現することができる。
【００２７】
次に、上述したような構成を有する分岐分配器におけるシールド特性について、従来技術における構成と比較しながら詳しく説明する。
本願発明者は、本実施形態に係る分岐分配器及び従来技術の構成におけるシールド特性について、各種実験を行い、以下に示すような結論を得た。なお、ここでは、従来技術の構成として、図５（ｂ）及び図６に示したような構成を有する場合について説明する。
図３は、本実施形態に係る分岐分配器と従来技術の構成におけるシールド特性（信号周波数に対する信号漏洩量）の比較結果を示す概略図である。
【００２８】
図３において、折れ線データＤＰａ、ＤＰｂは、本実施形態に係る筐体構造を適用した分岐分配器におけるシールド特性の周波数依存性を示す測定データであり、折れ線データＤＸａ、ＤＸｂは、従来技術における分岐分配器におけるシールド特性の周波数依存性を示す測定データである。ここで、折れ線データＤＰａ及び折れ線データＤＸａはケース本体にカバー部材を圧入した直後のシールド特性を示す測定データであり、また、折れ線データＤＰｂ及び折れ線データＤＸｂはカバー部材圧入後、一定期間経過した後のシールド特性を示す測定データである。
【００２９】
図３に示す実験結果から、従来技術の構成におけるシールド特性の周波数依存性は、折れ線データＤＸａ又はＤＸｂに示すように、入力信号の周波数の上昇にほぼ依存して信号漏洩量（すなわち、電波の漏れ量）が悪化する傾向が観測された。これは、従来技術に示したように、ケース本体とカバー部材との間に発生する極めて微細な間隙から分岐分配器内部の信号が漏れ出ていることが原因と考えられる。したがって、高周波信号を伝送するネットワークシステムほど、信号品質の悪化を招く問題を有している。
【００３０】
これに対して、本実施形態に係る構成を有する分岐分配器におけるシールド特性の周波数依存性は、折れ線データＤＰａ又はＤＰｂに示すように、入力信号の周波数に依存して信号漏洩量の増加が観測されるものの、上述した従来技術の構成に比較して、その絶対量が比較的抑制され、周波数依存性が改善されていることが判明した。これは、ケース本体１０の開口部１１において、段差部１２を構成する複数の段差１２ａ、１２ｂ（垂直面Ｖ１、Ｖ２及び水平面Ｈ１、Ｈ２）に対して、カバー部材２０の端部が変形して複合的に密着し、結果として、開口部１１の略全周にわたりケース本体１０とカバー部材２０とが間隙をほとんど生じることなく、良好に密着して閉止されていることによるものと考えられる。
【００３１】
一方、従来技術の構成におけるシールド特性の経時変化は、折れ線データＤＸａ及びＤＸｂに示すように、時間の経過に伴って、信号周波数が高いほど信号漏洩量が顕著に悪化する傾向が観測された。これは、従来技術に示したように、分岐分配器の外的環境の変化に伴って、ケース本体とカバー部材との間に徐々に微細な間隙が発生し、信号が漏れ出ていることが原因と考えられる。したがって、高周波信号を伝送するネットワークシステムほど、機器の老朽化や気候等の外的環境の変化の影響を受けて、信号品質が著しく悪化する問題を有している。
【００３２】
これに対して、本実施形態に係る構成を有する分岐分配器におけるシールド特性の経時変化は、折れ線データＤＰａ、ＤＰｂに示すように、時間の経過によってもほとんど観測されず、また、信号周波数に対する依存性もほとんど観測されず、経時変化に対するシールド特性が従来技術よりも大幅に改善されていることが判明した。これは、上述したように、ケース本体１０の開口部１１の略全周にわたりケース本体１０とカバー部材２０とが複合的に密着し、機器の老朽化や気候等の外的環境の変化に影響されないことによるものと考えられる。
【００３３】
したがって、本実施形態に係る分岐分配器の筐体構造によれば、ケース本体の開ロ部に設けられた複数の段差の各々に、カバー部材の端部が変形して略均一に密着するように圧入され、結果として、開ロ部の略全周にわたって密着して、段差部における間隙の発生が抑制されるので、伝送機器内外での電磁波の放出や混入を遮断することができ、信号周波数や経時変化に対する依存性が抑制され、シールド特性に優れた分岐分配器を実現することができる。特に、段差部を構成する各段差に対して、カバー部材の端部が複合的に密着するので、外的環境の変化に起因する経時的な形状変化を生じにくく、良好なシールド特性を長期にわたり確保することができる伝送機器を実現することができる。
【００３４】
なお、上述した実施形態においては、本発明に係る伝送機器の筐体構造を、ケーブルネットワークシステムに設置される分岐分配器に適用した場合についてのみ説明したが、本発明はこれに限定されるものではなく、他の伝送機器に適用するものであってもよい。要するに、本発明は、所定の信号が伝送される伝送ケーブルに設置される中継機器（伝送機器）であって、ケース内外における電磁波の放出や混入により、周辺機器や信号品質等に悪影響を及ぼす場合の防止策として良好に適用することができる。
【００３５】
【発明の効果】
本発明に係る伝送機器の筐体構造によれば、例えば、共聴受信システムやＣＡＴＶシステム等のネットワークシステムに適用される分岐分配器等の伝送機器において、伝送機器を構成するケース本体（筐体本体）の開ロ部の内周端部全域に複数の段差からなる段差部が形成され、該段差の各々を形成する水平面及び垂直面に対して、上記開ロ部を閉止する薄板のカバー部材（蓋体）の端部が略均一に密着するように圧入されるので、段差部における間隙の発生が抑制されて、伝送機器内外での電磁波の放出や混入を遮断することができ、シールド特性に優れた伝送機器を堤供することができる。特に、段差部を構成する複数かつ多様な面に対して、単一のカバー部材の端部が複合的に密着する構成を有しているので、外的環境の変化に起因する経時的な形状変化を生じにくく、良好なシールド特性を長期にわたり確保することができる伝送機器を実現することができる。
【００３６】
さらに、本発明に係る上記構成を、部品点数の少ない簡易な構成により実現することができ、かつ、ケース本体の開口部（段差部）に対してカバー部材を均一な押圧力で圧入する簡易な作業により実現することができるので、良好なシールド特性を有する伝送機器を安価かつ簡易に提供することができる。
【図面の簡単な説明】
【図１】本発明に係る伝送機器の筐体構造の一実施形態を示す概略構成図である。
【図２】本実施形態に係る分岐分配器におけるケース本体へのカバー部材の閉止状態を示す概略図である。
【図３】本実施形態に係る分岐分配器と従来技術の構成におけるシールド特性の比較結果を示す概略図である。
【図４】ケーブルネットワークシステムの概略構成図である。
【図５】ケーブルネットワークシステムの伝送経路に設置される分岐器及び分配器（又は、分岐分配器）の概略図である。
【図６】従来技術における分岐分配器に適用されている電磁波の遮蔽構造を示す図である。
【図７】従来技術における分岐分配器のシールド特性をさらに向上させるための遮蔽構造を示す図（その１）である。
【図８】従来技術における分岐分配器のシールド特性をさらに向上させるための遮蔽構造を示す図（その２）である。
【符号の説明】
１        分岐分配器
１０      ケース本体
１０ｓ    側面
１１      開口部
１２      段差部
１２ａ、１２ｂ    段差
２０      カバー部材
３０      回路基板
４０      入出力端子
【図１】
0004244280.tif 000002
【図２】
0004244280.tif 000003
【図３】
0004244280.tif 000004
【図４】
0004244280.tif 000005
【図５】
0004244280.tif 000006
【図６】
0004244280.tif 000007
【図７】
0004244280.tif 000008
【図８】
0004244280.tif 000009